(57)【特許請求の範囲】
【請求項１】
調査対象者がどの番組をいつどれだけ視聴、聴取又は閲覧したのかを示す調査データを、前記調査対象者毎に記憶する調査データ記憶部と、
番組の名称及び該番組の放送時間を示す番組放送時間を含む番組データを、前記番組毎に記憶する番組データ記憶部と、
前記調査データ記憶部から読み出した前記調査データ、及び、前記番組データ記憶部から読み出した前記番組データに基づいて、ある番組を視聴、聴取又は閲覧した前記調査対象者の数に関する分析を実施する分析実施部と、を有し、
該分析実施部は、前記分析において、
前記調査対象者毎に、選定した２つの番組のうち第１番組を視聴、聴取又は閲覧した秒数、分数又は時間を示す第１視聴時間と、前記２つの番組のうち前記第１番組以外の第２番組を視聴、聴取又は閲覧した秒数、分数又は時間を示す第２視聴時間とを算出する算出処理と、
前記調査対象者毎に算出した前記第１視聴時間及び前記第２視聴時間に基づいて、前記調査対象者の数を前記第１視聴時間と前記第２視聴時間の組み合わせに対して予め設定された区分別に集計する集計処理と、
前記第２視聴時間よりも前記第１視聴時間が多いグループに属する前記調査対象者の総数と、前記第１視聴時間よりも前記第２視聴時間が多いグループに属する前記調査対象者の総数とを比較する比較処理と、
前記集計処理に基づく集計結果に応じた情報を提示するためのデータを生成するデータ生成処理と、
を実行することを特徴とする番組分析装置。
【請求項２】
前記データ生成処理で、前記分析実施部が、前記第２視聴時間よりも前記第１視聴時間が多いグループに属する前記調査対象者の総数と、前記第１視聴時間よりも前記第２視聴時間が多いグループに属する前記調査対象者の総数に応じた情報を提示するためのデータを生成することを特徴とする請求項１に記載の番組分析装置。
【請求項３】
前記データ生成処理で、前記分析実施部が、前記第１視聴時間を一方の軸とし前記第２視聴時間を他方の軸として前記調査対象者の数を示すマトリックス図を表示するためのデータを生成することを特徴とする請求項１又は２に記載の番組分析装置。
【請求項４】
前記データ生成処理で、前記分析実施部が、前記調査対象者の母集団の数に対して前記区分毎に属する前記調査対象者の数を示す比率を、前記調査対象者の数と共に又は前記調査対象者の数に代えて表示するためのデータを生成することを特徴とする請求項１乃至３のいずれか１項に記載の番組分析装置。
【請求項５】
コンピュータが、調査対象者がどの番組をいつどれだけ視聴、聴取又は閲覧したのかを示す調査データを、前記調査対象者毎に記憶することと、
コンピュータが、番組の名称及び該番組の放送時間を示す番組放送時間を含む番組データを、前記番組毎に記憶することと、
コンピュータが、読み出した前記調査データ及び前記番組データに基づいて、ある番組を視聴、聴取又は閲覧した前記調査対象者の数に関する分析を実施することと、を有し、
コンピュータは、前記分析において、
前記調査対象者毎に、選定した２つの番組のうち第１番組を視聴、聴取又は閲覧した秒数、分数又は時間を示す第１視聴時間と、前記２つの番組のうち前記第１番組以外の第２番組を視聴、聴取又は閲覧した秒数、分数又は時間を示す第２視聴時間とを算出する算出処理と、
前記調査対象者毎に算出した前記第１視聴時間及び前記第２視聴時間に基づいて、前記調査対象者の数を前記第１視聴時間と前記第２視聴時間の組み合わせに対して予め設定された区分別に集計する集計処理と、
前記第２視聴時間よりも前記第１視聴時間が多いグループに属する前記調査対象者の総数と、前記第１視聴時間よりも前記第２視聴時間が多いグループに属する前記調査対象者の総数とを比較する比較処理と、
前記集計処理に基づく集計結果に応じた情報を提示するためのデータを生成するデータ生成処理と、
を実行することを特徴とする番組分析方法。
【発明の詳細な説明】
【技術分野】
【０００１】
本発明は、番組分析装置及び番組分析方法に係り、特に、分析対象となる番組を視聴、聴取又は閲覧している調査対象者の数に関する分析を実施する番組分析装置及び番組分析方法に関する。
【背景技術】
【０００２】
無作為に選んだ個人を調査対象者として、テレビ番組やラジオ番組等の各種番組を視聴、聴取又は閲覧している調査対象者の数に関する分析を行うことは、視聴率分析をはじめ、既によく知られている。
例えば、上記分析（以下、番組分析という）の一例として、特許文献１に開示されているような分析方法が挙げられる。
特許文献１には、個人別の視聴率データに基づいて平均視聴率分析、流入・流出分布分析、個人情報表示分析等の視聴率の分析を行う個人視聴率分析システムが開示されている。より具体的に説明すると、特許文献１では、視聴率データベースサーバ上に、個人視聴データを記憶した個人視聴データファイルと、個人標本データを記憶した個人標本データファイルと、放送番組のタイムテーブルを記憶した放送番組タイムテーブルファイルと、ＣＭ放映データを記憶したＣＭ放映データファイルとを備えて、個人の時間単位での平均視聴率、基準放送局に対する流入・流出、指定番組視聴回数の分析を行っている。
【先行技術文献】
【特許文献】
【０００３】
【特許文献１】特開２００３−１８９３３２号公報
【発明の概要】
【発明が解決しようとする課題】
【０００４】
ところで、番組制作や番組編成を検討するうえで、既存の番組の中から抽出した複数の番組を比較してそれらの番組の優劣（どちらの番組が魅力的で人気があるか等）を相対的に判断する必要が生じる場合がある。
しかしながら、特許文献１では、視聴している個人の情報（性別、年齢層、職業等）に基づいて平均視聴率分析、流入・流出分布分析、個人情報表示分析等の視聴行動の分析は行えるものの、複数の番組を一対一で比較して、どちらの番組がどれくらい魅力的であるか、又は、両番組の人気にはどの程度の差があるか等、その複数の番組の相対的な優劣について正確に判断することができない。すなわち、従来の番組分析のような、収集した視聴率データを利用した単純分析では、複数の番組を比較してその魅力や人気の度合を相対的に判断することは困難であった。
【０００５】
そこで、本発明は、上記の問題に鑑みてなされたものであり、その目的は、既存の番組の中から抽出した複数の番組を比較して両番組の相対的な優劣を詳細且つ正確に分析することができる番組分析装置又は番組分析方法を提供することである。
【課題を解決するための手段】
【０００６】
前記課題は、本発明の番組分析装置によれば、調査対象者がどの番組をいつどれだけ視聴、聴取又は閲覧したのかを示す調査データを、前記調査対象者毎に記憶する調査データ記憶部と、番組の名称及び該番組の放送時間を示す番組放送時間を含む番組データを、前記番組毎に記憶する番組データ記憶部と、前記調査データ記憶部から読み出した前記調査データ、及び、前記番組データ記憶部から読み出した前記番組データに基づいて、ある番組を視聴、聴取又は閲覧した前記調査対象者の数に関する分析を実施する分析実施部と、を有し、該分析実施部は、前記分析において、前記調査対象者毎に、選定した２つの番組のうち第１番組を視聴、聴取又は閲覧した秒数、分数又は時間を示す第１視聴時間と、前記２つの番組のうち前記第１番組以外の第２番組を視聴、聴取又は閲覧した秒数、分数又は時間を示す第２視聴時間とを算出する算出処理と、前記調査対象者毎に算出した前記第１視聴時間及び前記第２視聴時間に基づいて、前記調査対象者の数を前記第１視聴時間と前記第２視聴時間の組み合わせに対して予め設定された区分別に集計する集計処理と、前記第２視聴時間よりも前記第１視聴時間が多いグループに属する前記調査対象者の総数と、前記第１視聴時間よりも前記第２視聴時間が多いグループに属する前記調査対象者の総数とを比較する比較処理と、前記集計処理に基づく集計結果に応じた情報を提示するためのデータを生成するデータ生成処理と、を実行すること、により解決される。
【０００７】
また、前述した課題は、本発明の番組分析方法によれば、コンピュータが、調査対象者がどの番組をいつどれだけ視聴、聴取又は閲覧したのかを示す調査データを、前記調査対象者毎に記憶することと、コンピュータが、番組の名称及び該番組の放送時間を示す番組放送時間を含む番組データを、前記番組毎に記憶することと、コンピュータが、読み出した前記調査データ及び前記番組データに基づいて、ある番組を視聴、聴取又は閲覧した前記調査対象者の数に関する分析を実施することと、を有し、コンピュータは、前記分析において、前記調査対象者毎に、選定した２つの番組のうち第１番組を視聴、聴取又は閲覧した秒数、分数又は時間を示す第１視聴時間と、前記２つの番組のうち前記第１番組以外の第２番組を視聴、聴取又は閲覧した秒数、分数又は時間を示す第２視聴時間とを算出する算出処理と、前記調査対象者毎に算出した前記第１視聴時間及び前記第２視聴時間に基づいて、前記調査対象者の数を前記第１視聴時間と前記第２視聴時間の組み合わせに対して予め設定された区分別に集計する集計処理と、前記第２視聴時間よりも前記第１視聴時間が多いグループに属する前記調査対象者の総数と、前記第１視聴時間よりも前記第２視聴時間が多いグループに属する前記調査対象者の総数とを比較する比較処理と、前記集計処理に基づく集計結果に応じた情報を提示するためのデータを生成するデータ生成処理と、を実行すること、により解決される。
【０００８】
以上のように構成された本発明の番組分析装置では、選定した第１番組と第２番組の２つの番組について、複数の調査対象者のそれぞれの番組に対する視聴時間（例えば分数）を算出し、調査対象者毎に算出した第１番組の視聴時間（第１視聴時間）及び第２番組の視聴時間（第２視聴時間）に基づいて、調査対象者の数を第１視聴時間と第２視聴時間の組み合わせに対して予め設定された区分別に集計する。
このように、２つの番組を一対一で直接比較する際に、調査対象者のそれぞれの番組に対する視聴時間に応じて区分別に集計することにより、どちらの番組がどれくらい魅力的であるか、又は、両番組の人気にはどの程度の差があるか等の相対的な優劣について、詳細且つ正確に分析することが可能となる。特に、２つの番組に限定して一対一で比較していることにより、流入・流出の傾向をより深く掘り下げて判断することが可能となる。また、このような効果が得られることにより、例えば、番組制作や番組編成に役立てることも可能となる。
【０００９】
また、第２視聴時間よりも第１視聴時間が多いグループに属する調査対象者の総数と、第１視聴時間よりも第２視聴時間が多いグループに属する調査対象者の総数とを比較することにより、どちらの番組がどれくらい魅力的であるか、又は、両番組の人気にはどの程度の差があるか等の相対的な優劣について、より詳細且つ正確に分析することが可能となる。
【００１０】
また、上記の番組分析装置について好適な構成を述べると、前記データ生成処理で、前記分析実施部が、前記第２視聴時間よりも前記第１視聴時間が多いグループに属する前記調査対象者の総数と、前記第１視聴時間よりも前記第２視聴時間が多いグループに属する前記調査対象者の総数に応じた情報を提示するためのデータを生成する、とよい。
上記の構成によれば、第２視聴時間よりも第１視聴時間が多いグループに属する調査対象者の総数と、第１視聴時間よりも第２視聴時間が多いグループに属する調査対象者の総数に応じた情報を提示するためのデータを生成する。このように、２つの番組を一対一で直接比較する際に、調査対象者のそれぞれの番組に対する視聴時間に応じて２つのグループに分類することにより、どちらの番組がどれくらい魅力的であるか、又は、両番組の人気にはどの程度の差があるか等の相対的な優劣について、より詳細且つ正確に分析することが可能となる。
【００１１】
また、上記の番組分析装置についてより好適な構成を述べると、前記データ生成処理で、前記分析実施部が、前記第１視聴時間を一方の軸とし前記第２視聴時間を他方の軸として前記調査対象者の数を示すマトリックス図を表示するためのデータを生成する、とよい。
上記の構成によれば、第１番組の第１視聴時間と第２番組の第２視聴時間とに応じて区分別に集計した調査対象者の数を、マトリックス図としてアウトプットし、第１番組の第１視聴時間と第２番組の第２視聴時間との関係をクロスさせて視覚的に見易く表示させるので、利用者にとっては、どちらの番組が魅力的で人気があるか等の相対的な優劣を容易に判断でき、利便性を向上させることが可能となる。
【００１２】
また、上記の番組分析装置についてさらに好適な構成を述べると、前記データ生成処理で、前記分析実施部が、前記調査対象者の母集団の数に対して前記区分毎に属する前記調査対象者の数を示す比率を、前記調査対象者の数と共に又は前記調査対象者の数に代えて表示するためのデータを生成する、とよい。
上記の構成によれば、第１番組の第１視聴時間と第２番組の第２視聴時間とに応じて区分別に集計した調査対象者の数を、母集団である調査対象者全体に対する比率でそれぞれ表示するので、全体の中での位置付けを把握することや、他の区分と比較することが容易に可能となる。
【発明の効果】
【００１３】
本発明の番組分析装置及び番組分析方法によれば、既存の番組の中から抽出した複数の番組を比較して両番組の相対的な優劣を詳細且つ正確に分析することが可能となる。
【図面の簡単な説明】
【００１４】
【図１】本発明の一実施形態に係る番組分析装置を含む番組分析システムの概念図である。
【図２】調査データの一例を示す図である。
【図３】番組データの一例を示す図である。
【図４】本発明の一実施形態に係る番組分析装置の構成を機能面から示した図である。
【図５】番組比較分析フローを示す図である。
【図６】算出処理の流れを示すフローチャートである。
【図７】算出結果データの一例を示す図である。
【図８】集計結果データの一例を示す図である。
【図９】比較処理の流れを示すフローチャートである。
【図１０】番組比較分析の分析結果を示す図である。
【発明を実施するための形態】
【００１５】
以下、本発明の一実施形態（以下では「本実施形態」と呼ぶ）について説明する。ただし、以下に説明する実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００１６】
なお、本明細書において「番組」とは、予め設定されたタイムスケジュールに従って放送される音声情報や映像情報のことであり、具体的には、テレビ番組、ラジオ番組、インターネット番組、文字情報番組等が挙げられる。
また、本明細書において「番組放送時間」とは、各番組が放送されていた放送時間（放送開始から放送終了までの時間帯）のことである。なお、通常の場合、番組放送時間は、予め設定された放送時間枠と一致するが、緊急時の特別番組のように予定なく番組が追加されたケースや、所定の時間帯に放送予定であった番組が予定とは異なる時間帯に放送されたケースについては、実際に放送された時間帯が番組放送時間となる。
【００１７】
また、以下では、番組の一例としてテレビ番組を挙げ、テレビ番組の視聴者数に関する分析を行うケースを例に挙げて説明する。ただし、本発明は、ラジオ番組の聴取者数に関する分析を行うケース、インターネット番組の視聴者数に関する分析を行うケース、及び、文字情報番組のように音声を伴わない番組の閲覧者数に関する分析を行うケースにも適用可能である。
なお、テレビ番組を放送するテレビ局（放送局の一例）の局数については任意の数に設定することが可能である。
【００１８】
＜本実施形態に係る番組分析装置を用いた番組分析について＞
先ず、本実施形態に係る番組分析装置を用いて行われる番組分析の概要について説明する。
本実施形態に係る番組分析装置を用いて行われる番組分析は、あるテレビ番組（ある番組に相当）を分析対象とし、かかるテレビ番組の視聴者数に関する分析である。より詳しく説明すると、関連する２つの番組を一対一で比較して、どちらの番組がどれくらい魅力的であるか、又は、両番組の人気にはどの程度の差があるか等の相対的な優劣の比較に関する分析（以下、番組比較分析）が行われることになっている。
【００１９】
ここで、関連する２つの番組の比較とは、特定の番組とその特定の番組と同じ時間帯に放送されている他局の裏番組とを比較すること、正月番組等の特番について今年と前年とを比較すること、レギュラー番組や連続ドラマ等の同じ番組について今回と前回或いは初回と最終回等を比較すること、春クールの最終回と夏クールの初回等の同じ時間帯の番組についてクールの前後で比較すること等を意味する。
【００２０】
なお、本実施形態において番組比較分析は、例えば視聴率調査会社によって行われることになっている。この視聴率調査会社は、視聴率調査のために無作為に抽出した世帯の構成員（個人）を調査対象者とし、この調査対象者に対してテレビ番組の視聴状況に関する調査を依頼している。
【００２１】
具体的に説明すると、視聴率調査会社は、抽出された世帯に対して測定ユニットを配布する。この測定ユニットは、抽出された世帯の自宅内（厳密にはテレビの設置箇所周辺）に配置され、世帯全体を一つの調査対象者として、テレビ番組の視聴状況を測定するために使用される。ちなみに、本実施形態では、世帯自体を調査対象者としたが、世帯の構成員（すなわち、個人）を調査対象者として取り扱ってもよい。
【００２２】
測定ユニットの構成について説明すると、測定ユニットは、図１に図示のチャンネルセンサ２と個人特定器３とオンラインメータ４とによって構成されている。チャンネルセンサ２は、その周辺に設置されたテレビが電源オン状態であるときに作動し、その時点で選択されているチャンネル（テレビ局）を特定する。
【００２３】
個人特定器３は、チャンネルセンサ２と同様、テレビが電源オン状態であるときに作動する。また、個人特定器３には、世帯の構成員の各々を特定するためのボタンが設けられている。調査対象者は、テレビ視聴を開始するあたり、個人特定器３に設けられたボタン中、自分に割り当てられたボタンを押す。このボタン操作を受け付けることにより、個人特定器３は、テレビが電源オン状態である間、世帯中の誰が視聴しているのかを特定する（換言すると、調査対象者を識別する）。
なお、本実施形態において個人特定器３は、専用の入力装置（具体的にはピープルメータ）によって構成されているが、これに限定されるものではなく、個人特定用のボタンが設けられたリモコンによって構成されてもよい。
【００２４】
オンラインメータ４は、チャンネルセンサ２及び個人特定器３の各々の特定結果を入手し、これらの情報を示すデータを生成する。生成されたデータは、通信ネットワークＮ１を通じて外部の機器に向けて送信される。このオンラインメータ４が送信するデータは、どの調査対象者がどのテレビ番組（厳密には、どのテレビ局が放送しているテレビ番組）をいつどれだけ視聴したのかを示すデータであり、本発明の「調査データ」に相当する。
なお、本実施形態において、オンラインメータ４は、テレビが電源オン状態である間、一定の時間間隔（例えば、１分間隔）で調査データを生成することになっている。また、生成された１分毎の調査データは、通信ネットワークＮ１を通じてオンラインメータ４から逐次送信され、所定のデータベースサーバ（詳しくは、後述の調査データ用サーバ２０）に蓄積されることになっている。
【００２５】
以上のようにして得られた各調査対象者の調査データを用いることにより、上述した番組比較分析が実施されることになっている。つまり、番組比較分析では、分析対象となる２つのテレビ番組を見ていた調査対象者の数を分析することになる。
【００２６】
なお、調査データとして、デバイスログを利用することもできる。すなわち、テレビ等のデバイスの製造メーカーやそのデバイス自体に記録された視聴履歴のログを調査データとして利用することができる。
デバイスログを調査データとして利用する場合、後述する調査データ用サーバ２０に、デバイスログを調査データとして蓄積してもよいし、後述する本装置１０が、他のサーバ（例えばデバイスの製造メーカーが所有するサーバ等）やデバイス自体から番組比較分析に要する分のデバイスログを調査データとして直接取得する構成としてもよい。
【００２７】
ちなみに、本実施形態では番組比較分析の結果が書面（報告書）にて分析依頼者Ｃに報告されることとなっている。ただし、これに限定されるものではなく、番組比較分析の結果については電子データの形式で報告されることとしてもよい。
【００２８】
＜番組比較分析に関与する装置について＞
次に、番組比較分析に関与する装置について図１を参照しながら説明する。本実施形態では、図１に示すように、番組分析装置をはじめとする複数の装置が番組比較分析に関与している。
具体的に説明すると、番組分析装置（以下、本装置１０）と、前述した測定ユニットと、番組データ提供端末５と、調査データ用サーバ２０と、番組データ用サーバ３０とが番組比較分析に関与している。つまり、本実施形態において、番組比較分析は、上記の装置群がシステムとして機能することにより実現される。換言すると、上記の装置群によって構成されたデータ処理システム（以下、番組分析システム１）は、番組比較分析用に構築されたものとなっている。
【００２９】
番組分析システム１の各構成機器について説明すると、本装置１０は、番組比較分析に係るデータ処理を実行するコンピュータであり、前述した視聴率調査会社によって管理されている。また、本実施形態において、本装置１０は、分析対象のテレビ番組が放送された日の翌日に、当該テレビ番組に関する番組比較分析に係るデータ処理を実行することになっている。ただし、番組比較分析に係るデータ処理の実行時期については特に限定されるものではなく、例えば、分析対象のテレビ番組の放送が終了してから所定時間以内に実行されることとしてもよい。
【００３０】
また、本実施形態において、本装置１０は、予め指定された２つのテレビ番組のみを分析対象として番組比較分析を実施することになっている。ただし、これに限定されるものではなく、結果的に２つのテレビ番組を相対的に比較できればよいので、全てのテレビ番組の組み合わせを分析対象として番組比較分析を実施してもよい。
【００３１】
測定ユニットは、前述したように、調査対象者を構成員とする世帯に対してそれぞれ配布され、当該世帯が暮らす住宅内で利用される。また、測定ユニットを構成するオンラインメータ４は、住宅内にあるテレビが電源オン状態である間、１分間隔で調査データを生成し、生成した調査データを逐次送信する。
ここで、調査データについて説明すると、本実施形態では、測定ユニットを構成する個人特定器３が特定した調査対象者毎に調査データが生成されることになっている。例えば、三人家族の世帯で三人全員が同時にあるテレビ番組を視聴している場合には、個人特定器３が三人の調査対象者を特定し、この結果、三人分の調査データが生成されることになる。
【００３２】
調査データについて図２を参照しながらより詳しく説明すると、調査データには、調査対象者の名称及び属性（具体的には年齢や性別）と共に、調査年月日（分かり易くは調査データが生成された年月日）、調査時刻（分かり易くは調査データが生成された時刻）、及び、調査時刻に視聴していたテレビ番組（厳密には、視聴局）が収録されている。なお、調査データの収録事項については上記の内容に限定されるものではなく、上記の内容以外の内容が含まれていてもよい。
【００３３】
調査データ用サーバ２０は、各世帯の測定ユニットから送信されてくる調査データを、通信ネットワークＮ１を介して受信し、受信した調査データを蓄積するものである。この調査データ用サーバ２０は、データベースサーバによって構成されている。なお、調査データ用サーバ２０は、本装置１０と通信可能な状態で接続されている。本装置１０は、番組比較分析に係るデータ処理を実行するに際して調査データ用サーバ２０にアクセスし、同サーバに蓄積されている調査データのうち、分析に要する分のデータを抽出し、当該データを取得する。
【００３４】
番組データ提供端末５は、テレビ局各局が放送するテレビ番組に関する情報を示すデータ、すなわち番組データを提供するものである。この番組データ提供端末５は、例えば、テレビ局各局が保有するコンピュータによって構成されてもよく、あるいは、電子番組ガイドを配信する会社が保有するコンピュータによって構成されてもよい。
ここで、番組データについて説明すると、番組データは、テレビ番組毎に作成され、通常、テレビ番組の放送日前に生成されて通信ネットワークＮ２を通じて配信されることになっている。一方、緊急時の特別番組のように予定なく追加されたテレビ番組や、放送時間が当初の放送時間から変更されたテレビ番組については、番組放送終了後に番組データが生成されて配信されることになっている。
【００３５】
番組データについて図３を参照しながらより詳しく説明すると、番組データには、番組の放送年月日、番組の名称、番組を放送するテレビ局（放送局）、番組放送時間（厳密には放送開始時刻及び放送終了時刻）が収録されている。さらに、同図に示すように、番組データには、番組を構成するコーナの名称と、コーナの放送時間と、が更に収録されている。
ここで、「コーナの放送時間」とは、テレビ番組の番組放送時間内においてコーナに割り当てられた時間であり、具体的には当該コーナの放送開始時刻及び放送終了時刻のことである。換言すると、コーナ放送時間は、分析対象のテレビ番組の番組放送時間内における番組内容（コーナ）の切り替わり時点を示している。
例えば、図３に図示されたケースを例に挙げて説明すると、番組「〇〇歌合戦」は、例えば５つ以上のコーナによって構成されている。そのうち、「企画コーナー１」と言うコーナの放送時間は、２１時〜２１時５分５９秒となっており、「アーティストＡ〜Ｄ」と言うコーナの放送時間は、２１時６分〜２１時２９分５９秒となっている。
なお、番組データの収録事項については上記の内容に限定されるものではなく、上記の内容以外の内容が含まれていてもよい。
【００３６】
番組データ用サーバ３０は、番組データ提供端末５から送信されてくる番組データを、通信ネットワークＮ２を介して受信し、受信した番組データを蓄積するものである。この番組データ用サーバ３０は、データベースサーバによって構成されている。
なお、番組データ用サーバ３０は、本装置１０と通信可能な状態で接続されている。本装置１０は、番組比較分析に係るデータ処理を実行するに際して番組データ用サーバ３０にアクセスし、同サーバに蓄積されている番組データのうち、分析に要する分のデータを抽出する。
具体的に説明すると、本装置１０は、分析対象のテレビ番組、並びに当該テレビ番組の放送時間と同じ時間帯に放送された他局のテレビ番組の各々の番組データを抽出し、当該データを取得する。
【００３７】
＜番組分析装置の詳細構成＞
次に、本装置１０の詳細構成について説明する。本装置１０は、視聴率調査会社が管理しているコンピュータ（厳密にはパソコン）によって構成されており、ＣＰＵ、ＲＯＭやＲＡＭからなるメモリ、ハードディスクドライブ、入力装置、出力装置及び通信用インタフェースを備えている。
また、本装置１０のハードディスクドライブには、コンピュータを番組分析装置として機能させるためのプログラム（以下、番組分析プログラム）が記憶されている。この番組分析プログラムが実行されることにより、本装置１０が番組比較分析に係るデータ処理を実行するようになる。
【００３８】
本装置１０の構成を機能面から改めて説明すると、本装置１０は、図４に示すように、分析条件設定部１１、調査データ取得部１２、調査データ記憶部１３、番組データ取得部１４、番組データ記憶部１５及び分析実施部１６を有する。これらの機能部は、本装置１０を構成するハードウェア機器がソフトウェアとしての番組分析プログラムと協働することにより実現される。以下、各機能部について説明する。
【００３９】
（分析条件設定部について）
分析条件設定部１１は、番組比較分析に係る分析条件を設定しておくものである。
具体的に説明すると、本装置１０の操作者が番組比較分析を実施するに際し、本装置１０の入力装置を通じて分析条件を入力すると、分析条件設定部１１が当該入力操作を受け付け、入力された内容を分析条件として設定する。なお、本実施形態では、分析対象となる２つのテレビ番組（具体的には、当該テレビ番組の放送局、放送年月日及び番組放送時間）、母集団となる調査対象者の数、及び、分析時に調査対象者を分類する区分を規定する任意の所定時間等が分析条件として設定されることになっている。
【００４０】
（調査データ取得部）
調査データ取得部１２は、調査データ用サーバ２０にアクセスし、調査データ用サーバ２０に記憶されている調査データのうち、番組比較分析に要する分のデータを抽出し、当該データを取得する。
具体的に説明すると、調査データ取得部１２は、分析条件設定部１１により設定された分析条件のうち、分析対象のテレビ番組に関する条件（具体的には、当該テレビ番組の放送局、放送年月日及び番組放送時間）を特定する。その後、調査データ取得部１２は、特定した分析条件にヒットする調査データを調査データ用サーバ２０から抽出する。
より厳密に説明すると、調査データ取得部１２は、特定結果に係る放送年月日及び番組放送時間に相当する日時に特定結果に係るテレビ局の番組を視聴していた調査対象者（すなわち、分析対象のテレビ番組を視聴していた調査対象者）を割り出す。そして、調査データ取得部１２は、割り出した調査対象者の調査データ中、特定結果に係る番組放送時間（すなわち、分析対象のテレビ番組の放送時間）内に生成された調査データを抽出する。
【００４１】
（調査データ記憶部）
調査データ記憶部１３は、調査データ取得部１２が調査データ用サーバ２０から取得した調査データを、調査対象者毎（厳密には、分析対象のテレビ番組を視聴していた調査対象者毎）に記憶しておくものである。なお、本実施形態では、調査データが１分毎に生成されることになっている。このため、調査データ記憶部１３は、調査対象者毎の調査データを１分毎に区分けして記憶する。
【００４２】
（番組データ取得部）
番組データ取得部１４は、番組データ用サーバ３０にアクセスし、番組データ用サーバ３０に記憶されている番組データのうち、番組比較分析に要する分のデータを抽出し、当該データを取得する。
具体的に説明すると、番組データ取得部１４は、分析条件設定部１１により設定された分析条件から分析対象のテレビ番組を特定する。その後、番組データ取得部１４は、特定した分析対象のテレビ番組の番組データ、及び分析対象のテレビ番組と同じ年月日かつ同じ時間帯に放送されたテレビ番組の各々の番組データを番組データ用サーバ３０から抽出する。
【００４３】
（番組データ記憶部）
番組データ記憶部１５は、番組データ取得部１４が番組データ用サーバ３０から取得した番組データを、テレビ番組毎に記憶しておくものである。
【００４４】
（分析実施部）
分析実施部１６は、本装置１０の中核的機能をなしており、番組比較分析を実施するものである。この分析実施部１６は、番組比較分析において（１）算出処理、（２）集計処理、（３）比較処理、及び、（４）データ生成処理を実行する。
【００４５】
算出処理は、調査対象者毎に、分析対象となる２つのテレビ番組を視聴した視聴時間を算出する処理である。このとき、視聴時間には、一のテレビ番組（第１番組）の視聴時間である第１視聴時間と、他のテレビ番組（第２番組）の視聴時間である第２視聴時間を含む。
【００４６】
集計処理は、調査対象者毎の第１視聴時間の長さと第２視聴時間の長さに基づいて、調査対象者の数を第１視聴時間と第２視聴時間の組み合わせに対して予め分析条件設定部１１により設定された区分別に集計する処理である。
【００４７】
比較処理は、第２視聴時間よりも第１視聴時間が多いグループ（区分の集合）に属する調査対象者の総数と、第１視聴時間よりも第２視聴時間が多いグループ（区分の集合）に属する調査対象者の総数とを比較する処理である。
【００４８】
データ生成処理は、分析結果を表示するためのデータ（第２視聴時間よりも第１視聴時間が多いグループに属する調査対象者の総数と、第１視聴時間よりも第２視聴時間が多いグループに属する調査対象者の総数に応じた情報を提示するためのデータ）を生成する処理である。
具体的には、集計処理によって、第１視聴時間の長さと第２視聴時間の長さに基づいて、調査対象者の数を第１視聴時間と第２視聴時間の組み合わせに対して予め設定された区分別に集計した数値をマトリックス図としてアウトプットし、表示するためのデータを生成する。また、比較処理によって比較された結果を併せて表示するためのデータを表示するものとしてもよい。
なお、本実施形態では、データ生成処理において、分析結果に関する報告書の印刷用データ（分析結果表示用データ）が生成されることになっている。
また、データ生成処理において生成されるデータ、換言すると、番組比較分析の結果を表示する際の表示方式についても、本実施形態における特徴事項である。かかる特徴については後に詳しく説明する。
【００４９】
＜番組比較分析フローについて＞
次に、本装置１０による番組比較分析フローの流れ及び手順について図５乃至９を参照しながら説明する。ちなみに、以下に説明する番組比較フローでは、本発明の番組分析方法が採用されている。すなわち、以下の説明は、本発明の番組分析方法に関する内容となっている。さらに付言しておくと、以下に説明する番組比較フローの各ステップは、本発明の番組分析方法の構成要素に相当する。
【００５０】
以下では、説明を分かり易くするため、調査対象者は世帯１〜世帯ｎ（ｎは２以上の自然数）とし、分析対象となる２つのテレビ番組は、ＹＹ年ＭＭ月ＤＤ日の同じ時間帯に異なるテレビ局にて放送された「番組Ａ」（ＡＸ放送局）と「番組Ｂ」（ＢＸ放送局）としたケース（特定の番組とその特定の番組の裏番組とを比較するケース）を具体例に挙げて説明することとする。なお、ここでは、「番組Ａ」が第１番組に相当し、「番組Ｂ」が第２番組に相当する。
【００５１】
番組比較分析フローは、分析対象のテレビ番組「番組Ａ」と「番組Ｂ」が放送された日の翌日の所定時刻になった時点で実施される。
番組比較分析フローでは、図５に示すように、先ず、分析条件設定部１１による分析条件設定処理が実行される（Ｓ１０１）。
具体的には、本処理Ｓ１０１では、ＹＹ年ＭＭ月ＤＤ日放送分の「番組Ａ」と「番組Ｂ」を特定するのに必要な条件（具体的には、放送年月日、番組放送時間及び放送局等）が設定される。また、本処理Ｓ１０１では、分析時間の間隔が設定され、本実施形態では１分間に設定される。また、本処理Ｓ１０１では、母集団となる調査対象者の数がｎに設定される。
また、本処理Ｓ１０１では、分析時に調査対象者を分類する区分を規定する任意の所定時間が、０分、１分以上、１０分以上、２０分以上に設定される。なお、この所定時間（分数）の設定は任意に行うことができ、例えば、６０分以上の番組の場合は、放送分数−５分、２／３以上、１／２以上、１／３以上、５分以上、１分以上、０分（視聴なし）の７区分に分類する。また、６０分以内の番組の場合は、放送分数２／３以上、１／３以上、１分以上、０分（視聴なし）の４区分に分類する。
【００５２】
分析条件が設定された後には、「番組Ａ」及び「番組Ｂ」に対する番組比較分析に要するデータについて、データ取得・記憶処理が実施される（Ｓ１０２）。
本処理Ｓ１０２では、調査データ取得部１２が調査データ用サーバ２０に記憶された調査データのうち、ＹＹ年ＭＭ月ＤＤ日放送分の「番組Ａ」又は「番組Ｂ」を視聴した調査対象者（世帯１〜世帯ｎ）の調査データを抽出する。なお、「番組Ａ」、「番組Ｂ」のいずれのテレビ番組も視聴していない調査対象者の調査データを含めても構わないが、「番組Ａ」、「番組Ｂ」のどちらか一方又は両方のテレビ番組を視聴した調査対象者の調査データをなるべく多く抽出することが好ましい。
より詳しく説明すると、調査データ取得部１２は、ＹＹ年ＭＭ月ＤＤ日放送分の「番組Ａ」及び「番組Ｂ」の番組放送時間中のある時刻に「ＡＸ放送局」又は「ＢＸ放送局」を視聴している調査対象者を割り出す。これらの手続きは、ＹＹ年ＭＭ月ＤＤ日放送分の「番組Ａ」と「番組Ｂ」の番組放送時間を対象範囲として、所定の時間間隔で（すなわち、１分刻みで）繰り返し実施される。
以上のようにして抽出されて取得された各分の調査データは、調査データ記憶部１３によって調査対象者毎に記憶されることとなる。
【００５３】
また、データ取得・記憶処理Ｓ１０２では、番組データ取得部１４が番組データ用サーバ３０からＹＹ年ＭＭ月ＤＤ日放送分の「番組Ａ」と「番組Ｂ」に関する番組データを取得する。取得された番組データは、番組データ記憶部１５によってテレビ番組毎に記憶されることになる。
【００５４】
データ取得・記憶処理Ｓ１０２が終了した後には、図５に示すように、分析実施部１６による各種のデータ処理が実行される。
具体的に説明すると、分析実施部１６は、算出処理から開始する（Ｓ１０３）。この算出処理Ｓ１０３では、取得した調査データをもとに、調査対象者毎にｎ世帯分のＹＹ年ＭＭ月ＤＤ日放送分の「番組Ａ」の視聴時間（第１視聴時間）と「番組Ｂ」の視聴時間（第２視聴時間）を算出する。
【００５５】
算出処理Ｓ１０３の流れについて図６を参照しながら具体的に説明すると、本処理Ｓ１０３は、まず、分析実施部１６は、調査データ記憶部１３に記憶された調査データを読み出すところから開始する（Ｓ２０１）。このときに分析実施部１６が読み出す調査データは、ＹＹ年ＭＭ月ＤＤ日放送分の「番組Ａ」又は「番組Ｂ」を視聴していた調査対象者（世帯１〜世帯ｎ）の調査データである。なお、「番組Ａ」及び「番組Ｂ」の番組放送時間中の１分刻みで生成された調査データが、分析実施部１６によって読み出される調査データに相当する。
その後、分析実施部１６は、番組データ記憶部１５によって記憶された番組データを読み出す（Ｓ２０２）。このときに分析実施部１６が読み出す番組データは、ＹＹ年ＭＭ月ＤＤ日放送分の「番組Ａ」及び「番組Ｂ」に関する番組データである。
調査データ及び番組データを読み出した後、分析実施部１６は、ＹＹ年ＭＭ月ＤＤ日放送分の「番組Ａ」又は「番組Ｂ」を視聴していた調査対象者について、それぞれの番組の視聴時間を算出する（Ｓ２０３、Ｓ２０４）。これにより、調査対象者毎に「番組Ａ」の視聴時間（第１視聴時間）と「番組Ｂ」の視聴時間（第２視聴時間）がそれぞれ特定される。
【００５６】
例えば、図７の算出結果データの一例を示すように、世帯１は、「番組Ａ」の視聴時間は０分、「番組Ｂ」の視聴時間は３０分であり、世帯２は、「番組Ａ」の視聴時間は５分、「番組Ｂ」の視聴時間は２５分である。なお、ここでは、それぞれのセルに入る数値の単位は「分」である。
【００５７】
番組比較分析フローの説明に戻ると、図５に示すように、算出処理Ｓ１０３の実行後、分析実施部１６は、集計処理を実行する（Ｓ１０４）。この集計処理Ｓ１０４では、算出処理において算出した「番組Ａ」の視聴時間（第１視聴時間）の長さと「番組Ｂ」の視聴時間（第２視聴時間）の長さに基づいて、調査対象者の数を、第１視聴時間と第２視聴時間の組み合わせに対して予め分析条件設定部１１により設定された任意の所定時間等によって規定された区分別に集計する処理である。
【００５８】
例えば、図８の集計結果データの一例に示すように、「番組Ａ」及び「番組Ｂ」の視聴時間は、それぞれ０分、１分以上、１０分以上、２０分以上の４区分に設定されており、調査対象者は、４×４の合計１６の区分のいずれかに分類されることになる。
具体的には、世帯１は、「番組Ａ」の視聴時間は０分、「番組Ｂ」の視聴時間は３０分であるので、「番組Ａ：０分、番組Ｂ：２０分以上」の区分に該当し、当該箇所には、世帯１の１件の調査対象者のみが当てはまる旨を示す数値「１」が入力されている。同様に、世帯２は、「番組Ａ」の視聴時間は５分、「番組Ｂ」の視聴時間は２５分であるので、「番組Ａ：１分以上、番組Ｂ：２０分以上」の区分に該当し、当該箇所には、世帯２の１件＋複数件の調査対象者が当てはまる旨を示す集計した数値「４」が入力されている。また、「番組Ａ：２０分以上、番組Ｂ：０分」の区分には、「番組Ａ」の視聴時間は３０分、「番組Ｂ」の視聴時間は０分である世帯７と、その他複数件の調査対象者が当てはまる旨を示す集計した数値「１４」が入力されており、本実施形態においては、この区分に該当する調査対象者が最も多いこととなる。
【００５９】
番組比較分析フローの説明に再び戻ると、図５に示すように、集計処理Ｓ１０４の実行後、分析実施部１６は、比較処理を実行する（Ｓ１０５）。本処理Ｓ１０５において、分析実施部１６は、集計処理によって各区分毎に集計された調査対象者について、「番組Ｂ」の視聴時間よりも「番組Ａ」の視聴時間が多いグループ（図８中Ａ’の範囲）に属する調査対象者の総数と、「番組Ａ」の視聴時間よりも「番組Ｂ」の視聴時間が多いグループ（図８中Ｂ’の範囲）に属する調査対象者の総数とを比較する。
【００６０】
比較処理Ｓ１０５の流れについて図９を参照しながら具体的に説明すると、本処理Ｓ１０５は、まず、分析実施部１６は、集計処理により集計された集計結果データに基づいて、「番組Ｂ」よりも「番組Ａ」の視聴時間の方が多い調査対象者（世帯）の数を合計する（Ｓ３０１）。なお、この合計値をＡ’とする。
次に、分析実施部１６は、同様に集計処理により集計された集計結果データに基づいて、「番組Ａ」よりも「番組Ｂ」の視聴時間の方が多い調査対象者（世帯）の数を合計する（Ｓ３０２）。なお、この合計値をＢ’とする。
そして、「番組Ｂ」よりも「番組Ａ」の視聴時間の方が多い調査対象者（世帯）の総数「Ａ’」と、「番組Ａ」よりも「番組Ｂ」の視聴時間の方が多い調査対象者（世帯）の総数「Ｂ’」とを比較する（Ｓ３０３）。その結果、「Ａ’＞Ｂ’」の場合、「番組Ａ」の方が「番組Ｂ」よりも魅力的で人気があると判断する（Ｓ３０４）。一方、「Ａ’＜Ｂ’」の場合、「番組Ｂ」の方が「番組Ａ」よりも魅力的で人気があると判断する（Ｓ３０５）。また、「Ａ’≒Ｂ’」の場合（完全一致の場合に限らず、多少の誤差の場合も含む）、「番組Ａ」と「番組Ｂ」の魅力や人気はほぼ同程度であると判断する（Ｓ３０６）。これにより、「番組Ａ」と「番組Ｂ」との相対的な優劣が特定される。
【００６１】
なお、比較処理Ｓ１０５においては、Ｓ３０３〜Ｓ３０６の処理を省略することとしてもよい。すなわち、比較処理Ｓ１０５では、集計処理により集計された集計結果データに基づいて、「番組Ｂ」よりも「番組Ａ」の視聴時間の方が多い調査対象者（世帯）の数を合計して総数「Ａ’」を求め（Ｓ３０１）、同様に集計処理により集計された集計結果データに基づいて、「番組Ａ」よりも「番組Ｂ」の視聴時間の方が多い調査対象者（世帯）の数を合計して総数「Ｂ’」を求めて（Ｓ３０２）、処理を終了することとしてもよい（図示略）。この場合は、総数「Ａ’」と「Ｂ’」との比較は、本装置１０ではなく、後述するデータ生成処理により生成された分析結果表示用データによって表示された番組比較分析の結果を見て、利用者が自ら行うことする。
【００６２】
また、比較処理Ｓ１０５では、総数「Ａ’」や「Ｂ’」を求めることなく、特定の区分同士の数値を比較するという処理を行ってもよい。例えば、図８の集計結果データの一例であれば、「番組Ａ：２０分以上、番組Ｂ：１０分以上」の区分に該当する数値「５」と、「番組Ａ：１０分以上、番組Ｂ：２０分以上」の区分に該当する数値「２」とを比較することもできる。
【００６３】
番組比較分析フローの説明に再び戻ると、図５に示すように、比較処理Ｓ１０５の実行後、分析実施部１６は、データ生成処理を実行する（Ｓ１０６）。本処理Ｓ１０６において、分析実施部１６は、ＹＹ年ＭＭ月ＤＤ日放送分の「番組Ａ」と「番組Ｂ」を分析対象として行った番組比較分析の結果を表示するためのデータとして、分析結果表示用データを生成する。
分析結果表示用データは、例えば、「番組Ａ」の視聴時間（第１視聴時間）を縦軸（Ｙ軸）とし、「番組Ｂ」の視聴時間（第２視聴時間）を横軸（Ｘ軸）として、第１視聴時間の長さと第２視聴時間の長さに基づいて区分別に集計した調査対象者の数を、マトリックス図として表示させる等、分析結果をグラフ化して表示させるものである。
【００６４】
以上までに説明してきた一連の処理が終了した後、データ生成処理Ｓ１０６にて生成された分析結果表示用データに基づいて不図示のプリンタが印刷処理を実行する（Ｓ１０７）。これにより、ＹＹ年ＭＭ月ＤＤ日放送分の「番組Ａ」と「番組Ｂ」について行った番組比較分析の分析結果が報告書として出力されるようになる。
【００６５】
＜番組比較分析の分析結果について＞
次に、上述した番組比較分析フローによって得られる分析結果の表示例、つまり、当該分析結果の報告書の記載例について図１０を参照しながら説明する。
なお、以下に説明する分析結果の表示例（報告書の記載例）は、あくまでも一例に過ぎず、様式や記載項目、デザインについては、本発明の趣旨を逸脱しない限り、任意に設定することが可能である。また、図１０では、複数年分の分析結果を同一紙面上にまとめて印刷しているが、例えば年毎にそれぞれ別々に印刷されていても構わない。
【００６６】
番組比較分析の分析結果に関する報告書では、上述した集計処理Ｓ１０４、比較処理Ｓ１０５によって特定した分析結果が、マトリックス図を含む状態で表示されている。
なお、以下では、説明の便宜上、ある日の同じ時間帯（２１：００〜１６５分）に放送されている「〇〇歌合戦」（「番組Ａ」に相当）と「お笑い芸人ＳＰ」（「番組Ｂ」に相当）の両番組を比較した分析結果を例に挙げて説明する。また、「〇〇歌合戦」と「お笑い芸人ＳＰ」の両番組は毎年同じ時間帯において異なる放送局によって放送されるライバル関係であるとし、ここでは、２０１２年〜２０１４年の３年分について分析した結果も示す。これにより、両番組の優劣について、年毎の移り変わりも把握できるものである。
【００６７】
例えば、図１０に示すように、報告書に含まれるマトリックス図は、第１番組に相当する「〇〇歌合戦」の視聴時間を縦軸（Ｙ軸）とし、第２番組に相当する「お笑い芸人ＳＰ」の視聴時間を横軸（Ｘ軸）とする。また、視聴時間は、それぞれ、１６０分以上、１１１〜１６０分、８３〜１１０分、５５〜８２分、５〜５４分、１〜４分、０分（視聴なし）の７区分に区分けされている。
【００６８】
また、ここでは、調査対象者数に代えて、母数である調査対象者全体（２０１２年の場合は５９９）に対する比率を表示する。例えば、２０１２年の分析結果を例にとってみると、「〇〇歌合戦」を１６０分以上視聴し「お笑い芸人ＳＰ」を０分（視聴なし）の調査対象者は、全体の１４．２％である。また、「〇〇歌合戦」を１６０分以上視聴し、「お笑い芸人ＳＰ」を５〜５４分視聴した調査対象者は、全体の１．５％である。一方、「〇〇歌合戦」を０分（視聴なし）、「お笑い芸人ＳＰ」を１６０分以上視聴した調査対象者は、全体の２．３％である。
【００６９】
そして、「〇〇歌合戦」の視聴時間の方が多い調査対象者と、「お笑い芸人ＳＰ」の視聴時間の方が多い調査対象者と、「〇〇歌合戦」と「お笑い芸人ＳＰ」の視聴時間がほぼ同じくらいの調査対象者との３つのグループに分け、それぞれのグループの総数を計算する。なお、ここでの総数は、上記３つのグループ毎に上記比率を合計したものである。例えば、２０１２年の分析結果によれば、「〇〇歌合戦」の視聴時間の方が多い調査対象者は、全体の５２．７％であり、「お笑い芸人ＳＰ」の視聴時間の方が多い調査対象者は、全体の１７．３％である。
【００７０】
なお、利用者にとって見やすくするために、上記３つのグループ毎に表示される数値（文字）の色や各セルの色をそれぞれ変えて区別することとしてもよい。例えば、「〇〇歌合戦」の視聴時間の方が多い調査対象者のグループの数値は赤で表示し、「お笑い芸人ＳＰ」の視聴時間の方が多い調査対象者のグループの数値は青で表示し、「〇〇歌合戦」と「お笑い芸人ＳＰ」の視聴時間がほぼ同じくらいの調査対象者のグループの数値は、黒で表示することができる。
【００７１】
そして、上記結果から、２０１２年において、「〇〇歌合戦」と「お笑い芸人ＳＰ」の２つの番組の優劣を比較した場合、「お笑い芸人ＳＰ」（１７．３％）よりも「〇〇歌合戦」（５２．７％）の方が相対的に優劣が上であるということが判断できる。すなわち、単純に互いの視聴率を比較するよりも、より詳細且つ正確に「お笑い芸人ＳＰ」よりも「〇〇歌合戦」の方が視聴者にとって魅力的で人気があると判断することができる。
【００７２】
また、本実施形態では、２０１２年〜２０１４年の過去３年分のデータを分析している。
具体的には、２０１２年の分析結果によれば、「〇〇歌合戦」の視聴時間の方が多い調査対象者は、全体の５２．７％であり、「お笑い芸人ＳＰ」の視聴時間の方が多い調査対象者は、全体の１７．３％である。また、２０１３年の分析結果によれば、「〇〇歌合戦」の視聴時間の方が多い調査対象者は、全体の５３．９％であり、「お笑い芸人ＳＰ」の視聴時間の方が多い調査対象者は、全体の１９．７％である。また、２０１４年の分析結果によれば、「〇〇歌合戦」の視聴時間の方が多い調査対象者は、全体の５３．７％であり、「お笑い芸人ＳＰ」の視聴時間の方が多い調査対象者は、全体の１７．８％である。
【００７３】
上記結果から、「〇〇歌合戦」と「お笑い芸人ＳＰ」の２つの番組の優劣を比較した場合、毎年安定して「〇〇歌合戦」の方が相対的に優劣が上であるということが判断できる。つまり、この結果からは、年によって大きく変動することなく、「お笑い芸人ＳＰ」よりも「〇〇歌合戦」の方が視聴者にとって魅力的で人気がある番組であると判断することができる。
【００７４】
また、図１０に示すような報告書のマトリックス図は、上記以外の利用方法もある。
具体的には、利用者は、上記３つのグループの総数を使わずに、特定の区分同士の数値を比較して両番組の優劣をそれぞれの条件毎に判断することができる。すなわち、「〇〇歌合戦：１６０分以上、お笑い芸人ＳＰ：１１１分〜１６０分」の条件の区分に該当する数値と、「〇〇歌合戦：１１１〜１６０分、お笑い芸人ＳＰ：１６０分以上」の条件の区分に該当する数値とを比較する等して、それぞれの区分毎に両番組の数値の優劣を判断することができる。例えば、２０１３年の上記条件の区分の比較であれば、前者の数値は「０．３」であり、後者の数値は「１．０」であるので、この条件下であれば、両番組には約３倍の差があり、「お笑い芸人ＳＰ」の方が「〇〇歌合戦」よりも優位性があることがわかる。
【００７５】
また、マトリックス図を利用して、特定の区分同士の数値を比較することもできる。例えば、視聴時間が「〇〇歌合戦：０分、お笑い芸人ＳＰ：０分」の数値を年毎に比較して、その数値の大小から、「〇〇歌合戦」や「お笑い芸人ＳＰ」以外のテレビ番組を視聴していたり、どこかに外出している又は在宅であってもテレビ視聴以外のことをしている等、調査対象者の生活態度を判断することもできる。また、年度比較をしない場合であっても、視聴時間が「〇〇歌合戦：０分、お笑い芸人ＳＰ：０分」の数値をみて、テレビの電源がＯＦＦの状態であると判断することもできる。
【００７６】
＜その他の実施形態＞
以上までに本発明の番組分析装置及び番組分析方法の構成例について説明してきたが、上記の実施形態は、本発明の具体的構成の一つに過ぎず、他の構成例（バリエーション）が考えられる。
一例を挙げて説明すると、上記の実施形態では、特定の番組とその特定の番組と同じ時間帯に放送されている他局の裏番組との優劣を比較することしたが、これに限定するものではなく、例えば、正月番組等の特番について今年と前年とを比較して、同じ番組の年毎による人気の推移を判断することもできる。また、レギュラー番組や連続ドラマ等の複数回放送される同じ番組について今回と前回或いは初回と最終回等を比較して、回を追う毎に視聴者にどのように受け取られているか判断することもできる。また、春クールの最終回と夏クールの初回等の同じ時間帯の番組についてクールの前後で比較して、クールが変わったときに視聴者にどのように受け取られたかを判断することもできる。
【００７７】
また、調査対象者の年代（年齢）別に集計してもよいし、性別や職業等の人口統計学的属性（デモグラフィック）で区分けして当該属性別に集計してもよい。
また、心理学的属性（サイコグラフィック）を用いてもよい。例えば、調査対象者の視聴行動（具体的には、テレビを観る時間帯等）別に集計してもよく、あるいは調査対象者の嗜好（具体的には、好きなテレビ番組のジャンル等）別に集計してもよい。また、あるテレビ番組について集計する際に、当該あるテレビ番組の視聴経験の有無に分けて集計してもよい。
【符号の説明】
【００７８】
１    番組分析システム
２    チャンネルセンサ
３    個人特定器
４    オンラインメータ
５    番組データ提供端末
１０  本装置（番組分析装置）
１１  分析条件設定部
１２  調査データ取得部
１３  調査データ記憶部
１４  番組データ取得部
１５  番組データ記憶部
１６  分析実施部
２０  調査データ用サーバ
３０  番組データ用サーバ
Ｃ  分析依頼者
Ｎ１，Ｎ２  通信ネットワーク
【図１】
0006558988.tif 000002
【図２】
0006558988.tif 000003
【図３】
0006558988.tif 000004
【図４】
0006558988.tif 000005
【図５】
0006558988.tif 000006
【図６】
0006558988.tif 000007
【図７】
0006558988.tif 000008
【図８】
0006558988.tif 000009
【図９】
0006558988.tif 000010
【図１０】
0006558988.tif 000011